(57)【要約】【課題】美しく洗練された印象の空間を形成可能な発光建材を提供する。【解決手段】面発光パネル３１と、面発光パネル３１を保持するパネル保持部３０と、板状区画部材３を備えた発光建材を形成する。このとき、板状区画部材３は、第一主面３ａ及び第二主面３ｂを有する立板状の部材であると共に、空間を第一空間と第二空間に区画するものとする。また、面発光パネル３１は、点灯時に発光する発光領域を含む発光面を有し、第二主面３ｂ側にあって、発光面が第二空間側を向くように配する。そして、第一主面３ａに対して垂直となる方向を第一方向とし、パネル保持部３０の第一方向の長さをＬとしたとき、第一主面３ａから第一方向においてＬ／３離れた位置までの間に発光領域が存在しないものとする。【選択図】図３
2019196629.tif 000002
【特許請求の範囲】
【請求項１】
面発光パネルと、前記面発光パネルを保持するパネル保持部と、板状区画部材を備えた発光建材であって、
前記板状区画部材は、第一主面及び第二主面を有する立板状の部材であると共に、空間を第一空間と第二空間に区画するものであり、
前記面発光パネルは、点灯時に発光する発光領域を含む発光面を有し、
前記面発光パネルは、前記第二主面側にあって、前記発光面が前記第二空間側を向くように配され、
前記第一主面に対して垂直となる方向を第一方向とし、前記パネル保持部の前記第一方向の長さをＬとしたとき、前記第一主面から前記第一方向においてＬ／３離れた位置までの間に前記発光領域が存在しないことを特徴とする発光建材。
【請求項２】
前記第一方向において前記第一主面から２／３×Ｌ離れた位置に前記発光領域が存在することを特徴とする請求項１に記載の発光建材。
【請求項３】
前記板状区画部材は、面状に広がりを有する遮蔽部と、遮蔽部と隣接する位置に形成される開口部を備えており、
前記板状区画部材の一方の主面からの入射光は、一部が前記遮蔽部によって遮られ、一部が前記開口部を通過することを特徴とする請求項１又は２に記載の発光建材。
【請求項４】
前記板状区画部材は、前記第一主面側からの入射光により光起電力を生じる光起電力パネルであることを特徴とする請求項１乃至３のいずれかに記載の発光建材。
【請求項５】
前記板状区画部材は、２つの透光性部材の間に複数の光起電力素子が並置して形成されるシースルー型光起電力パネルであることを特徴とする請求項１乃至４のいずれかに記載の発光建材。
【請求項６】
前記面発光パネルは、有機ＥＬパネルであることを特徴とする請求項１乃至５のいずれかに記載の発光建材。
【発明の詳細な説明】
【技術分野】
【０００１】
本発明は、光源に面発光パネルを用いた発光建材に関するものであり、特にベランダや、バルコニーのような建屋から張り出したスペースで好適に使用可能な発光建材に関する。
【背景技術】
【０００２】
蛍光灯やＬＥＤに替わる発光デバイスとして、有機ＥＬ（Ｅｌｅｃｔｒｏ  Ｌｕｍｉｎｅｓｃｅｎｃｅ）パネルが注目され、多くの研究がなされている。
有機ＥＬパネルは、ガラス基板や透明樹脂フィルムの基材に、有機化合物等で構成される有機ＥＬ素子を積層した発光パネルである。有機ＥＬ素子は、陽極と陰極間に有機発光層を設けた発光素子である。有機発光層は、正孔注入層、正孔輸送層、発光層、電子輸送層、電子注入層等から構成されている。
【０００３】
その一方で、照明装置と建材を組み合わせて形成される発光建材が知られている。例えば、このような発光建材として、特許文献１に開示されたものが知られている。
特許文献１には、バルコニー等に設けられる手摺りの内部に蛍光灯を内蔵して形成される発光建材（手摺り構造）が開示されている。
【０００４】
特許文献１に開示された手摺りは、具体的には、バルコニーの床部分の縁に沿って形成される壁の上側に設けられている。そして、手摺り本体の内部に蛍光灯が内蔵されており、手摺り本体の下面に形成された窓部から下方に向けて光が照射される構造となっている。すなわち、手摺りの下方から光を照射することで、壁部分の内側面やバルコニーの床面を照らすものとなっている。
【先行技術文献】
【特許文献】
【０００５】
【特許文献１】特開２００５−２１３８６２号公報
【発明の概要】
【発明が解決しようとする課題】
【０００６】
しかしながら、従来の発光建材は、美しく洗練された印象の空間を形成するという点において改善の余地があった。
【０００７】
そこで本発明は、美しく洗練された印象の空間を形成可能な発光建材を提供することを課題とする。
【課題を解決するための手段】
【０００８】
上記課題を解決すべく本発明者らが鋭意検討した結果、目に優しい柔らかい印象の光で周囲を照らす面発光パネルを採用することが効果的であることを見出した。さらには、面発光パネルを板状部材（壁状部材）から離れた位置に配し、面発光パネルの発光面を板状部材側へ向けずに板状部材を照らすことが効果的であることを見出した。
かかる知見に基づいて提供される請求項１に記載の発明は、面発光パネルと、前記面発光パネルを保持するパネル保持部と、板状区画部材を備えた発光建材であって、前記板状区画部材は、第一主面及び第二主面を有する立板状の部材であると共に、空間を第一空間と第二空間に区画するものであり、前記面発光パネルは、点灯時に発光する発光領域を含む発光面を有し、前記面発光パネルは、前記第二主面側にあって、前記発光面が前記第二空間側を向くように配され、前記第一主面に対して垂直となる方向を第一方向とし、前記パネル保持部の前記第一方向の長さをＬとしたとき、前記第一主面から前記第一方向においてＬ／３離れた位置までの間に前記発光領域が存在しないことを特徴とする発光建材である。
【０００９】
本発明の発光建材によると、拡散光を発する面状光源を有する構造であるため、ＬＥＤ等の直線的な光を発する点光源とは異なり、少ない光源数で広い範囲を明るくできる。
また、特に足元を照らす足元照明として使用する場合、面状光源から拡散光が広がるように照射されることから、板状区画部材の各部で直接光からの距離が異なる状態とすることができる。このことから、板状区画部材の周辺の空間を美しく見せることが可能となり、美しく洗練された印象の空間を形成できる。
【００１０】
さらに、本発明は、前記第一方向において前記第一主面から２／３×Ｌ離れた位置に前記発光領域が存在することがさらに好ましい（請求項２）。
【００１１】
ところで、本発明の発光建材は、ベランダやバルコニーのような建屋から張り出した空間において、内外を仕切る壁部分及びその上方側に位置する手摺り部分として使用することを想定している。ここでベランダやバルコニーにおいては、一般に人の足元を隠したり、そこからの人の落下を防止したりするために、人の腰元から下程の、例えば足元から５０ｃｍ〜１５０ｃｍ程の高さの仕切り部があることが通常であり、本発明は、例えばこのような空間を区画する、仕切り部に関するものである。
このような用途で使用する場合、日中においては、建屋の室内に光を取り込むため、光を透過させることが好ましい。その一方で、夜間においては、室内の様子を外部から視認できないように、光をなるべく透過させない構造であることが好ましい。
【００１２】
このことから、請求項３に記載の発明は、前記板状区画部材は、面状に広がりを有する遮蔽部と、遮蔽部と隣接する位置に形成される開口部を備えており、前記板状区画部材の一方の主面からの入射光は、一部が前記遮蔽部によって遮られ、一部が前記開口部を通過することを特徴とする請求項１又は２に記載の発光建材である。
【００１３】
かかる構造によると、一方の主面からの入射光は、一部が他方の主面側へ通過し、一部が遮蔽部によって遮蔽される。このことから、日中での室内への光を取り込みが可能となる。その一方で、室内側に離れた位置において面発光パネルを点灯することで、外部から室内を見え難くすることができる。
【００１４】
請求項４に記載の発明は、前記板状区画部材は、前記第一主面側からの入射光により光起電力を生じる光起電力パネルであることを特徴とする請求項１乃至３のいずれかに記載の発光建材である。
【００１５】
かかる構成では、太陽光による発電が可能であるので好ましい。
【００１６】
請求項５に記載の発明は、前記板状区画部材は、２つの透光性部材の間に複数の光起電力素子が並置して形成されるシースルー型光起電力パネルであることを特徴とする請求項１乃至４のいずれかに記載の発光建材である。
【００１７】
かかる構成では、第一主面側から入射される光の他、第二主面側から入射される光によっても発電できるので好ましい。
また、上記のように、ベランダやバルコニー等で使用する場合、日中における室内への光の取り込みが可能であり、室内側から外部を観察できるので好ましい。
【００１８】
請求項６に記載の発明は、前記面発光パネルは、有機ＥＬパネルであることを特徴とする請求項１乃至５のいずれかに記載の発光建材である。
【００１９】
かかる構成では、面発光パネルの軽量化を図ることが可能であり、パネル保持部への取り付け作業や取り外し作業（メンテナンス時の交換作業）が容易化できる。
【発明の効果】
【００２０】
本発明によると、美しく洗練された印象の空間を形成できる。
【図面の簡単な説明】
【００２１】
【図１】本発明の実施形態に係る発光建材をバルコニーに設置した様子を示す斜視図である。
【図２】図１の壁面形成パネルを模式的に示す図であり、（ａ）は分解斜視図、（ｂ）は断面図である。
【図３】図１の発光建材の上側部分を示す断面図であり、一部を拡大して示す。
【図４】図３の手摺本体部を示す断面斜視図である。
【図５】図３の手摺本体部に面発光パネルを取り付ける様子を示す説明図である。
【図６】図１の発光建材の一部と建屋壁面の周辺部分を示す説明図であり、面発光パネルを点灯した際の様子を示す。
【図７】図１の発光建材において面発光パネルを点灯した際の様子を模式的に示す説明図である。
【図８】上記とは異なる実施形態に係る発光建材を示す説明図であり、（ａ）は手摺本体部に面発光パネル取り付ける様子を模式的に示す図であり、（ｂ）はパネル被係合部に面発光パネルの係合部を差し込む様子を示す図である。
【図９】上記とは異なる実施形態に係る発光建材において、面発光パネル取り外す手順を示す説明図であり、（ａ）〜（ｃ）の順に取り外す。
【図１０】本発明の効果を確認するために行った実験において作成した実験用の発光建材を示す説明図である。
【発明を実施するための形態】
【００２２】
以下、本発明の実施形態に係る発光建材１について、図面を参照しつつ詳細に説明するが、本発明はこれらの例に限定されるものではない。なお、以下の説明において、上下方向や、長手方向は、特に断りのない限り、図１で示される状態を基準として説明する。
【００２３】
本発明の実施形態に係る発光建材１は、図１で示されるように、建屋から張り出した部分であるバルコニーやベランダ等（以下、バルコニー等とも称す）で使用される屋外用発光建材である。具体的には、発光建材１は、バルコニー等の内外を仕切る壁部分と、その上方に位置する手摺り部分を形成する建材である。
【００２４】
発光建材１は、パネル固定部材２と、複数の壁面形成パネル３（板状区画部材、光起電力パネル、シースルー型光起電力パネル）と、壁面形成パネル３の上側に取り付けられる手摺形成部４とを備えた構造となっている。
【００２５】
パネル固定部材２は、建屋の壁部分やバルコニー等の床、バルコニー等の床を形成する張り出し部分の端面等に対して固定される部材であり、壁面形成パネル３を直立した姿勢で設置するための部材である。つまり、パネル固定部材２に壁面形成パネル３が取り付けられることで、壁面形成パネル３が建屋に対して固定された状態となる。
なお、詳細な図示を省略するが、本実施形態では、パネル固定部材２は複数の部材によって構成されており、柱状部材や、柱状部材を建屋の壁部分等に固定するための部材、壁面形成パネル３の下端側を保持するレール状の部材等によって構成されている。
【００２６】
壁面形成パネル３は、面状に広がりを持つ略四角形立板状の部材であり、具体的には、シースルー型の太陽電池モジュールである。
本実施形態では、複数の壁面形成パネル３が並置されることで、全体として、バルコニー等の床部分の縁端に沿って延びる立壁状部分を形成している。
【００２７】
壁面形成パネル３は、具体的には、図２で示されるように、第一透明基板１５（透光性部材）と第二透明基板１６（透光性部材）の間に複数の太陽電池セル１７（光起電力素子）が配され、封止材１８が封入されて形成されている。
なお、作図の都合上、一部のみの太陽電池セル１７へ符号を付し、他への符号を省略する。
【００２８】
第一透明基板１５と第二透明基板１６は、いずれも透光性を有する板状又は膜状の部材である。これらは、透光性及び絶縁性を有していれば特に限定されるものではなく、無着色の透明ガラス、着色ガラス、透明樹脂基板等が好適に採用できる。
【００２９】
太陽電池セル１７は、所謂結晶型と称される太陽電池であり、シリコン基板と電極を備えた板状部材である。そして、複数の太陽電池セル１７が行列状に互いに間隔を空けて配されると共に、配線部材によって電気的に接続され、セル列を形成している。
【００３０】
封止材１８は、絶縁性を有する無色透明の樹脂であり、特に限定されるものではないが、エチレン−酢酸ビニル共重合樹脂（ＥＶＡ）やポリビニルブチラール（ＰＶＢ）樹脂、ポリイミドなどの熱可塑性樹脂が好適に採用できる。
【００３１】
ここで、本実施形態では、図１で示されるように、複数の壁面形成パネル３によって形成される立壁状部分によって、バルコニー等の内外の空間が区画されている。すなわち、それぞれの壁面形成パネル３は、バルコニー等の床部分の上方に位置する内側空間２５（第二空間）と、立壁状部分の外側に位置する外側空間２６（第一空間）とを区画している。すなわち、壁面形成パネル３の一方の主面である第一主面３ａが外側空間２６を向いており、他方の主面である第二主面３ｂが内側空間２５を向いている。
【００３２】
この壁面形成パネル３では、第一主面３ａ、第二主面３ｂの一方から入射した入射光は、一部が太陽電池セル１７の間を通過して他方側の主面から外部へ出ていく。すなわち、入射光の一部が壁面形成パネル３を通過する。その一方で、入射光の他の一部は、壁面形成パネル３を通過せず吸収又は反射される。
具体的に説明すると、一部の入射光は、太陽電池セル１７によって吸収されて電気エネルギーに変換される。言い換えると、入射光の一部は、太陽電池セル１７によって遮蔽され、壁面形成パネル３を通過しない。
また、入射光は、壁面形成パネル３を通過するとき、第一透明基板１５、第二透明基板１６（図２参照）によってその一部が反射される。また、一部が太陽電池セル１７の電極部分や配線部材等に到達することで反射される。つまり、第一透明基板１５、第二透明基板１６そのものや、その間に位置する部材の少なくとも一部によって反射面が形成され、この反射面によって入射光の一部が反射される構造となっている。
【００３３】
つまり、入射光の一部を吸収する太陽電池セル１７や、入射光の一部を反射する各種部材が、入射光を遮蔽する（入射光の一部の壁面形成パネル３の通過を阻止する）遮蔽部として機能する。その一方で、太陽電池セル１７の間の空間のように、遮蔽部と隣接する位置にある部分が、入射光の一部が通過する開口部として機能する。
【００３４】
なお、特に限定されるものではないが、壁面形成パネル３は、第一主面３ａからの入射光による発電と、第二主面３ｂからの入射光による発電が可能なものであることが好ましい。
【００３５】
手摺形成部４は、図３で示されるように、壁面形成パネル３の上側部分に固定されるものであり、手摺本体部３０（パネル保持部）に面発光パネル３１を固定して形成されている。
【００３６】
手摺本体部３０は、壁面形成パネル３の厚さ方向（第一方向）に沿って、壁面形成パネル３から離れる方向へ延びた状態となるように取り付けられる部材である。
この手摺本体部３０は、壁面形成パネル３の上端部分と係合する壁係合部３５と、その外側に位置する庇状の突出体部３６とが一体となって形成されている。
【００３７】
壁係合部３５は、手摺本体部３０の長手方向における片側端部側の上方に位置する部分であり、図３、図４で示されるように、所謂Ｃ型鋼のような形状となっている。
つまり、壁係合部３５は、平板状の天板部分３５ａと、２つの立板状の側壁部分３５ｂと、２つの平板状の挟持片部３５ｃを有する。
【００３８】
すなわち、天板部分３５ａの短手方向（壁面形成パネル３の厚さ方向）における両端のそれぞれから、２つの側壁部分３５ｂがそれぞれ下方側に延びている。そして、２つの側壁部分３５ｂの下端側部分のそれぞれから２つの挟持片部３５ｃが互いに近づく方向へ突出している。
【００３９】
具体的には、一方の挟持片部３５ｃは、壁面形成パネル３の厚さ方向の片側端部から他方側端部に延びており、他方の挟持片部３５ｃがその逆向きに延びている。そして、突出端同士の間に欠落部が形成されている。
このことから、天板部分３５ａの下方側部分に、天板部分３５ａと、２つの側壁部分３５ｂと、２つの挟持片部３５ｃによって囲まれた空間部分が形成されている。
そして、この空間部分は、２つの挟持片部３５ｃの間の空隙部分を介して外部と連通している。
【００４０】
なお、手摺本体部３０が壁面形成パネル３に固定された状態では、壁面形成パネル３の上端側部分が壁係合部３５の内部（空間部分）に入り込む。そして、壁面形成パネル３の一部が２つの挟持片部３５ｃの間に位置する。
本実施形態では、壁面形成パネル３の上端側部分に緩衝部材４６が取り付けられており、この緩衝部材４６が取り付けられた部分を２つの挟持片部３５ｃが挟んだ状態となっている。この緩衝部材４６は、ゴム等の適宜な原料によって形成された部材であり、壁面形成パネル３の上端面、第一主面３ａの上側部分、第二主面３ｂの上側部分の少なくとも三方を覆っている。
【００４１】
突出体部３６は、図３、図４で示されるように、断面の概形が略台形状となる中空の部材である。
すなわち、突出体部３６は、天板部分３６ａと、内側壁部分３６ｂと、外側壁部分３６ｃと、下板部分３６ｄを有する。
【００４２】
天板部分３６ａは、壁係合部３５の天板部分３５ａと一体に形成されており、壁面形成パネル３から離れるにつれて高さが低くなる傾斜面を形成する部分である。すなわち、手摺本体部３０の上面は、壁係合部３５の天板部分３５ａと、突出体部３６の天板部分３６ａからなる一連の板状部分によって形成されている。
【００４３】
内側壁部分３６ｂは、壁係合部３５と隣接する位置で上下方向に延びる立板状の部分であり、上側の一部分が壁係合部３５の一方の側壁部分３５ｂとなる。つまり、内側壁部分３６ｂの一部分は、壁係合部３５の側壁部分３５ｂとして機能する部分となる。
【００４４】
外側壁部分３６ｃは、突出体部３６の突出端側の位置で上下方向に延びる立板状の部分である。この外側壁部分３６ｃは、上下方向の長さが内側壁部分３６ｂよりも短く、その下端部分が内側壁部分３６ｂ、下板部分３６ｄそれぞれの下端部分と同一（略同一）の高さに位置する。
この外側壁部分３６ｃには、下端側部分を内側（内側壁部分３６ｂ）側に折り曲げて形成される平板状の掛止片部３７が形成されている。
【００４５】
下板部分３６ｄは、一方の端部が内側壁部分３６ｂの下端部分と連続しており、他方の端部が外側壁部分３６ｃの内側面と連続している。具体的には、他方の端部は、外側壁部分３６ｃの内側面のうちで上下方向における中途部分と連続している。
すなわち、下板部分３６ｄは、内側（壁面形成パネル３側）に位置する低位置部４０と、外側（手摺本体部３０の突出端側）に位置する高位置部４１とを有しており、これらが段差を介して連続して形成されている。すなわち、低位置部４０と、高位置部４１と、これらの間に位置する立壁部４２とが一体に連続して形成される部分である。
【００４６】
以上のことから、手摺本体部３０の下方側部分であって突出端側に位置する部分には、内側よりも上方に窪む部分である他部材取付部４３が形成されている。この他部材取付部４３は、主に面発光パネル３１を取り付けるための部分となる。
【００４７】
ここで、他部材取付部４３の上側部分には、平板状の上側板状部材４５が固定されている。詳細には、上側板状部材４５は、締結要素（本実施形態では、セルフドリリングビス）によって他部材取付部４３（高位置部４１）と一体に固定されている。このとき、上側板状部材４５の上面と、他部材取付部４３の上面（高位置部４１の下面）とが接触した状態となっており、上側板状部材４５と他部材取付部４３の上板部分（高位置部４１）を締結要素が貫通している。
なお、ここでいう「締結要素」とは、ネジ、釘、ボルトといった、複数部材を貫通して（又は少なくとも一部材を貫通すると共に他の一部材内に挿通して）一体に固定する棒状の固定手段とし、以下の記載においても同様のものとする。
【００４８】
面発光パネル３１は、面状に広がりを持つ略四角形板状の有機ＥＬパネルであり、具体的には、有機ＥＬ素子を内蔵する板状の有機ＥＬパネル本体４８に、枠状のフレーム部材４９を取り付けて形成されている。この面発光パネル３１は、一方の主面となる発光面３１ａと、他方の主面となる裏面３１ｂを有する。
【００４９】
発光面３１ａは、中心側に位置する発光領域と、縁端側に位置する非発光領域に区画されている。発光領域は、点灯時に面状の拡散光を発する部分であり、非発光領域は、有機ＥＬパネル本体４８の縁端部分がフレーム部材４９によって覆われて形成される。
【００５０】
裏面３１ｂには、外部の給電端子と電気的な接点となるコネクタ部（図示しない）が形成されている。すなわち、面発光パネル３１は、このコネクタ部から給電されることで発光する。また、本実施形態の面発光パネル３１は、図示しない回路基板を備えており、輝度の変更（調光）が可能となっている。つまり、面発光パネル３１は、通電することで発光し、調光が可能な面状光源である。
【００５１】
続いて、面発光パネル３１の取り付け構造について説明する。
面発光パネル３１は、透明板部材５３及びカバー部材５４と共に他部材取付部４３に取り付けられる。
【００５２】
透明板部材５３は、透明な長尺状の板状部材であり、本実施形態ではアクリル板を採用している。本実施形態では、透明板部材５３の上面に凹部が形成されており、面発光パネル３１の一部を嵌入可能な構造となっている。
【００５３】
カバー部材５４は、第一支持片部５８と第二支持片部５９を有し、透光性を有する透明な部材である。
【００５４】
第一支持片部５８は、断面形状が略Ｌ字状で延びる部分であり、平板状の下側支持片５８ａと、下側支持片５８ａの短手方向における一端側から上方へ突出する添板部５８ｂとが一体となって形成される部分である。
【００５５】
第二支持片部５９は、下端側に位置する平板状の下側支持片５９ａと、下側支持片５８ａの短手方向における一端側から上方へ突出する立板状の添板部５９ｂと、平板状の掛止片部５９ｃを有する。
すなわち、下側支持片５９ａは、添板部５９ｂの下端側から第一支持片部５８側へ突出する部分である。対して、掛止片部５９ｃは、添板部５９ｂの上端側から下側支持片５９ａとは逆向きに突出する部分である。
【００５６】
以上のことから、第一支持片部５８の下側支持片５８ａと、第二支持片部５９の下側支持片５９ａとが互いに近づく方向へ突出しており、その間に空隙部６０が形成されている。
なお、これら２つの下側支持片５８ａ，５９ａは、厚さが同一（略同一）であり、突出体部３６への取り付け時に配置高さが同一となる。つまり、これらは、取り付け時に上面同士及び下面同士がいずれも同一平面上に位置する。
【００５７】
面発光パネル３１を取り付ける際には、図３、図５で示されるように、面発光パネル３１を透明板部材５３に載置し、面発光パネル３１の下方側部分（発光面３１ａ側の部分）を透明板部材５３の凹部に嵌め込んだ状態とする。
その上で、透明板部材５３の短手方向における両端側部分を２つの下側支持片５８ａ，５９ａにそれぞれ載置した状態とする（図３参照）。
【００５８】
このとき、図３で示されるように第二支持片部５９の掛止片部５９ｃを、外側壁部分３６ｃの掛止片部３７に掛止した状態、すなわち、第二支持片部５９の掛止片部５９ｃの下面を外側壁部分３６ｃの掛止片部３７の上面に載置した状態とする。
その一方で、第一支持片部５８の下側支持片５８ａと、透明板部材５３と、上側板状部材４５と、高位置部４１を貫通するように締結要素を挿通し、これらを一体に固定する。
以上のことから、面発光パネル３１が手摺本体部３０に取り付けられた状態となる。
【００５９】
この状態では、上側板状部材４５から間隔を空けて下方側に離れた位置に面発光パネル３１が位置する。また、面発光パネル３１の発光面３１ａ側が透明板部材５３に覆われる。さらに、平面視において面発光パネル３１の発光領域の少なくとも一部が空隙部６０と重なる。なお、本実施形態では、面発光パネル３１の発光領域の全域が透明板部材５３と重なる位置に配される。
【００６０】
さらに、本実施形態では、発光面３１ａが壁面形成パネル３の上端よりも下方側であり、手摺本体部３０の低位置部４０の下端側よりも下方に配される。また、面発光パネル３１が２つの添板部５８ｂ，５９ｂの間に位置する。すなわち、面発光パネル３１は、壁面形成パネル３の厚さ方向（両主面と直交する方向）を視線方向とする平面視において、直接視認できない位置に配される。つまり、発光建材１は、光源が直接視認されない目隠し照明となっている。
【００６１】
ところで、本実施形態の手摺形成部４では、壁面形成パネル３と近接する位置に光源となる面発光パネル３１を設けず、壁面形成パネル３から所定距離だけ離れた位置に面発光パネル３１の発光領域が位置する構造となっている。
具体的には、手摺本体部３０の突出方向（延び方向）における全体長さをＬとしたとき、第一主面３ａから同方向でＬ／３だけ離れた位置までの間に光源が位置しない構造となっている。
なお、手摺本体部３０の突出方向とは、壁面形成パネル３の両主面（第一主面３ａ、第二主面３ｂ）のそれぞれと直交する方向であり、手摺本体部３０の短手方向でもある。
【００６２】
そして、第一主面３ａから手摺本体部３０の突出方向において２／３×Ｌ（２Ｌ／３）だけ離れた位置に、面発光パネル３１の発光領域の一部分が位置する構造となっている。言い換えると、平面視（又は側面視）において、第一主面３ａと発光領域の一部分との距離が２／３×Ｌとなるように面発光パネル３１が配設されている。
【００６３】
さらに、本実施形態の発光建材１では、面発光パネル３１の発光面３１ａが下方を向いており、上下方向に対して垂直となる面となっている。そして、バルコニー等の床面と離間対向している。
加えて、面発光パネル３１が壁面形成パネル３の下端側部分やバルコニー等の床面から高さ方向に十分に離れた位置（例えば、１０００ｍｍ以上離れた位置）に配されている。
【００６４】
このことから、図６で示されるように、バルコニー等の床、建屋の壁面、壁面形成パネル３の内側面（第二主面３ｂ）を美しく照らすことが可能である。
具体的に説明すると、本実施形態では、面状の拡散光を発する面発光パネル３１を光源とし、上記した位置から光を照射するので、図６、図７で示されるように、突出体部３６の下方側であって壁面形成パネル３の内側に位置する空間に拡散光が照射される。言い換えると、内側空間２５のうちで突出体部３６の下方側に位置する部分に直接光が照射される。
【００６５】
このことから、建屋の壁面や壁面形成パネル３の上側部分と、下側部分とで直接光が照射される空間との距離が異なる。
壁面形成パネル３を例に挙げて説明すると、図７で示されるように、壁面形成パネル３の第二主面３ｂでは、下端側部分に向かうにつれて直接光によって照らされる部分（直接光が照射される空間）までの距離が短くなっていく。
さらにいうと、本実施系形態では、建屋の壁面や壁面形成パネル３の下端側部分には、上側部分とは異なり、直接光が照射されることとなる。
【００６６】
このことから、足元部分は、直接光や反射光によって十分明るくなると共に、上側部分は、各部で違った印象となるように照らされるので、美しく洗練された印象の空間を形成できる。
【００６７】
さらに、このような構造とすることで夜間等の周囲が暗い状況下において、バルコニー等を外から見たとき、建屋側（建屋の室内）が見えない（又は殆ど見えない）状態とすることができる。つまり、壁面形成パネル３の上側の大部分に直接光が照射されない構造とすることで、内部側が外から透けて見えない（又は殆ど見え難い）状態としている。
【００６８】
つまり、本実施形態の発光建材では、壁面形成パネル３が透光性を有する部材（シースルー太陽電池）であり、日中においては、内側空間２５や建屋の室内に外側から十分に光を取り込むことができる。その一方で、夜間においては、上記したように、外側から建屋側が見えない（又は殆ど見えない）状態とできるので、防犯上やプライバシー保護の観点から好ましい。
【００６９】
上記した実施形態における面発光パネル３１は、手摺本体部３０の長手方向に長い平面視形状が略長方形状となるものを採用してもよく、平面視形状が略正方形状となるものを採用してもよい。このとき、手摺本体部３０の長手方向の長さ（水平方向長さ）に応じて、一つのみ取り付けてもよく、複数並置して取り付けてもよい。
【００７０】
上記した実施形態では、壁面形成パネル３にシースルー型（両面入射型）の太陽電池パネルを採用した例を示したが、本発明はこれに限るものではない。
例えば、透光性を有する樹脂板やガラス板等の板状部材、透光性を有さない壁用建材、片面入射型の太陽電池パネル等を採用することが考えられる。すなわち、発電機能を有さない壁材や、裏面側を不透過の樹脂製バックシートで封止した太陽電池パネルを採用することが考えられる。
【００７１】
上記した実施形態では、太陽電池パネルを所謂結晶型の太陽電池パネルとしたが、本発明はこれに限らず、薄膜型の太陽電池パネルであってもよい。この太陽電池パネルにおいても、片面入射型であってもよく、両面入射型であってもよい。
【００７２】
さらに、上記した実施形態では、カバー部材５４と共に面発光パネル３１を他部材取付部４３に取り付けたが、本発明はこれに限るものではない。
例えば、図８で示されるように、他部材取付部４３の側壁面（立壁部４２の側面）に被係合部１５４を設けると共に、面発光パネル３１の裏面側に接続用係合部１５５を設け、これらを係合させて取り付けてもよい。
【００７３】
被係合部１５４は、他部材取付部４３に対して直接又は他部材を介して間接的に固定される部分であり、接続用係合部１５５を挿入（嵌入）可能な挿入空間１５４ａを有している。
【００７４】
そして、被係合部１５４の内部には、プッシュ・プッシュ式のイジェクト機構が形成されている。このイジェクト機構は、接続用係合部１５５を挿入空間１５４ａに押し込むことで接続用係合部１５５がロックされた状態（係合状態）となり、この状態から再度押し込むことで、ロックが解除された状態（係合解除状態）となる機構である。そして、ロックが解除された状態とすることで、接続用係合部１５５の排出（引き抜き）が可能となっている。
【００７５】
接続用係合部１５５は、面発光パネル３１の裏面側に取り付けられた箱状部分１５６の側面から面発光パネル３１の面方向に突出する突出片である。
なお、箱状部分１５６は、必要に応じて内部に回路基板（図示しない）等が内蔵される部材である。
【００７６】
ここで、挿入空間１５４ａの内部には、必要に応じて外部の電源装置や制御装置等と電気的に接続された接続端子を設けてもよい。この場合、接続端子は、給電端子として機能させてもよく、制御信号を入力するための信号入力端子として機能させてもよい。また、これら二つの機能を有する端子としてもよい。
【００７７】
さらにこの場合、被係合部１５４側の接続端子と対となる接続端子を接続用係合部１５５に設けてもよい。そして、この接続用係合部１５５側の接続端子は、箱状部分１５６の内部に配された回路基板や、面発光パネル３１の内部の部材等と電気的に接続されるものとしてもよい。
【００７８】
さらにまた、図９で示されるように、手摺本体部２３０（パネル保持部）は、面発光パネル３１を下方側に押圧する押圧板部２４５を備えた構造の他部材取付部２４３を有するものであってもよい。
【００７９】
この手摺本体部２３０は、他部材取付部２４３と、下板部分２３６ｄの構造が上記した手摺本体部３０とは異なるものとなっている。
下板部分２３６ｄは、内側壁部分３６ｂの下端部分から外側壁部分３６ｃの下端部分までの間で延びる平板状の部分となっており、一部にパネル入出部３６０が形成されている。
【００８０】
パネル入出部３６０は、下板部分２３６ｄを厚さ方向に貫通する貫通孔であり、壁面形成パネル３の厚さ方向における開口長さが、取付時姿勢（図９（ａ）で示される姿勢）における面発光パネル３１の同方向の長さよりも短くなっている。
【００８１】
他部材取付部２４３は、下板部分２３６ｄのパネル入出部３６０及びその周辺部分と、その上方に位置する上側板部２４１の間に形成される部分であり、面発光パネル３１を配置する部分である。
上側板部２４１は、一端側が外側壁部分３６ｃの内側面のうち、上下方向における中途部分と連続している。対して他端側が、下板部分２３６ｄの上面から上方に延びる立壁部２４２の上端側部分と連続している。
【００８２】
上側板部２４１は、上方に窪んだ部分である移動代形成部２４４を有する。すなわち、他部材取付部２４３の天面（上側板部２４１の下面）は、一部に周囲よりも高位置となる部分を有する。
【００８３】
押圧板部２４５は、弾性部材２４５ａを介して上側板部２４１に対して取り付けられており、常時下方側へ付勢されている。
【００８４】
本実施形態では、面発光パネル３１を他部材取付部２４３の内部空間にずらし入れることで、面発光パネル３１を取り付ける構造となっている。
すなわち、面発光パネル３１を傾斜した姿勢としつつパネル入出部３６０から他部材取付部２４３の内部空間へ挿入し、面発光パネル３１で押圧板部２４５を押圧しつつ面発光パネル３１の姿勢を変更していく。このことにより、面発光パネル３１を取付時姿勢（図９（ａ）参照）で配置するものとなっている。
【００８５】
そして、面発光パネル３１が取り付けられた状態では、面発光パネル３１は、裏面３１ｂ側と接触する押圧板部２４５と、発光面３１ａ側の一部と接触する下板部分２３６ｄによって挟持された状態となる。このとき、面発光パネル３１は、押圧板部２４５によって下方側へ押圧され、下板部分２３６ｄの一部に押し付けられた状態となる。
また、面発光パネル３１の発光領域の少なくとも一部は、平面視でパネル入出部３６０と重なる位置に配され、面発光パネル３１の非発光領域を含む縁端部分は、パネル入出部３６０と隣接する下板部分２３６ｄの上面と接触する。つまり、パネル入出部３６０は、面発光パネル３１の光を外部へ照射するための開口部分としても機能する。
【００８６】
また、面発光パネル３１を取り外す際には、面発光パネル３１の一部を付勢力に抗して上方へ押圧することで、面発光パネル３１及び押圧板部２４５の一部を移動代形成部２４４の内部側に配した状態とする（図９（ｂ）参照）。
さらに、この状態から面発光パネル３１の姿勢を変更しつつ上方へ移動させ、姿勢変更させた面発光パネル３１の下方側部分をパネル入出部３６０と重なる位置まで移動させる（図９（ｃ）参照）。このことにより、面発光パネル３１を取り出すことが可能となる。
【００８７】
次に、本発明の効果を確認するために行った実験について説明する。
【００８８】
上記した実施形態の発光建材１に準ずる発光建材を作製した。さらに、図１０で示されるように、この作製した発光建材に対し、取付用部材３３０を介して第二面発光パネル３３１を取り付けることで、実験用の発光建材を作製した。
実験用の発光建材に取り付けた第二面発光パネル３３１は、この発光建材に取り付けたもう一方の面発光パネル３１と同一のものとした。
また、この第二面発光パネル３３１は、実験用の発光建材における壁面形成パネルの第一主面から、この主面と垂直となる方向でＬ／３離れた位置よりも壁面形成パネル側に発光領域が位置するように設置した。
【００８９】
そして、第二面発光パネル３３１を点灯させ、もう一方の面発光パネル３１を消灯した第一の状態と、第二面発光パネル３３１を消灯し、もう一方の面発光パネル３１を点灯させた第二の状態のそれぞれにおいて、第一主面側から実験用の発光建材を観察した。
【００９０】
第一の状態では、室内側（第二空間側）が透けて見える上、壁面形成パネル側に照明が映り込んだ状態となった。
対して、第二の状態では、室内側（第二空間側）が殆ど見えない状態となった。
【符号の説明】
【００９１】
１  発光建材
３  壁面形成パネル（板状区画部材、光起電力パネル、シースルー型光起電力パネル）
３ａ  第一主面
３ｂ  第二主面
１５  第一透明基板（透光性部材）
１６  第二透明基板（透光性部材）
１７  太陽電池セル（光起電力素子）
２５  内側空間（第二空間）
２６  外側空間（第一空間）
３０，２３０  手摺本体部（パネル保持部）
３１  面発光パネル
３１ａ  発光面
【図１】
2019196629.tif 000003
【図２】
2019196629.tif 000004
【図３】
2019196629.tif 000005
【図４】
2019196629.tif 000006
【図５】
2019196629.tif 000007
【図６】
2019196629.tif 000008
【図７】
2019196629.tif 000009
【図８】
2019196629.tif 000010
【図９】
2019196629.tif 000011
【図１０】
2019196629.tif 000012